(57)【要約】【課題】一端部が折り返されてなる折り返し部を先頭に且つ上向きにさせて排紙された角底紙袋を積重させる排紙トレイであって、後の角底紙袋が先の角底紙袋を徐々に押し動かして角底紙袋同士の整合を悪化させることなく、極めて簡素な構成で、複数の角底紙袋を載置面に整合した状態で載置することが可能な排紙トレイを提供すること。【解決手段】先に排紙した角底紙袋Ｐの用紙中途部から凸状に屈曲し、その状態のまま、その角底紙袋Ｐを載置面１ａに載置し、後から排紙している角底紙袋Ｐの用紙先端ｐ２が先に排紙した角底紙袋Ｐの折り端ｐ１の位置より排紙方向下流側に位置するように用紙中途部から凸状に屈曲して、先に排紙した角底紙袋Ｐの上に後から排紙中の角底紙袋Ｐを載置していく凸部３を、排紙トレイの載置面１ａに設けて、先に排紙した角底紙袋Ｐの折り返し部ｐ３に、後に排紙した角底紙袋Ｐの折り返し部ｐ３が挿し込まれていくのを防止する。【選択図】図５
2010018428.tif 000002
【特許請求の範囲】
【請求項１】
排紙された用紙を載置させる載置面に前記用紙と係合される凸部が形成され、該凸部は、一端部が折り返されてなる折り返し部が形成された用紙を、その折り返し部を先頭に且つ上向きにさせて漸次排紙させた際に、前記折り返し部が前記凸部を乗り越えて前記載置面に先に載置された前記用紙の折り端の位置より、後から排紙された前記用紙の先端が排紙方向下流側に位置されるまで、後から排紙された前記用紙の先端を浮上可能に形設されてなることを特徴とする排紙トレイ。
【請求項２】
前記凸部は、前記載置面に着脱可能に構成されていることを特徴とする請求項１記載の排紙トレイ。
【請求項３】
前記凸部は、前記用紙の排紙方向前後に位置調整可能に構成されていることを特徴とする請求項１または２記載の排紙トレイ。
【請求項４】
前記凸部より前記用紙の排紙方向下流側で前記用紙の先端と係合させて前記用紙の移動を抑制させるストッパ部が前記載置面に設けられていることを特徴とする請求項１乃至３の何れか１項記載の排紙トレイ。
【請求項５】
前記ストッパ部は、前記載置面に着脱可能に構成されていることを特徴とする請求項４記載の排紙トレイ。
【請求項６】
前記ストッパ部は、前記用紙の排紙方向前後に位置調整可能に構成されていることを特徴とする請求項４または５記載の排紙トレイ。
【請求項７】
所望の画像が前記用紙に印刷可能に構成されると共に、前記排紙トレイの排紙方向下流側が上位となるように、請求項１乃至６の何れか１項記載の前記排紙トレイを斜設したことを特徴とする画像形成装置。
【発明の詳細な説明】
【技術分野】
【０００１】
本発明は、排紙トレイ及び画像形成装置に関する。
【背景技術】
【０００２】
レーザプリンタ、複写機、インクジェットプリンタ等、各種の画像形成装置に用いられる用紙は多種多様であり、なかには、図１３に示すように、薬袋やファーストフードのテイクアウト用紙袋、小物の包装用紙袋のような角底紙袋Ｐの場合もある。もっとも、このような角底紙袋Ｐの場合、底面を広げた状態では画像形成装置で印刷ができないため、図１４に示すように、底面に相当する部分を折り返してシート状にし、フィードミスが生じないように、折り端ｐ１から用紙先端ｐ２に亘る部分（以下、「折り返し部ｐ３」という）を先頭にして画像形成を行なっている。
このような角底紙袋Ｐは、他の一般的な用紙と同じく印刷終了後、速やかに排紙トレイに排紙されるが、このとき以下の問題が生じる。
すなわち、図１５に示すように、印刷面の都合上、折り返し部ｐ３を上向きにして排紙される場合、用紙トレイに先に排紙された角底紙袋Ｐの折り返し部ｐ３の中に、後から排紙された角底紙袋Ｐの折り返し部ｐ３が挿し込まれてしまい、先の角底紙袋Ｐを押し動かしてしまう場合があった。この現象は角底紙袋Ｐが排紙される度に生じる恐れがあり、その結果、排紙トレイＴ上に角底紙袋Ｐが整然と載置されず、場合によっては、排紙トレイＴから角底紙袋Ｐが落下してしまう恐れがあった。
そこで、かかる問題を解決するために、本件出願人が先に提案した排紙装置の適用が考えられる。
この排紙装置は、シートを排紙トレイに排紙する排紙位置に排紙トレイに対するシート排紙方向を変える可変ガイド板と、その可変ガイド板のシート排紙方向を偏向させるソレノイド等からなるガイド板偏向手段とを設けて、その可変ガイド板がシートの先端部を排紙するときよりも後端部を排紙するときの方が下向きになるようにしたものである。
この排紙装置によれば、先に排紙したシートの後端を次に排紙するシートの先端が押し出さないようにして、スタック性を良くすると共にペーシ順の狂いを防止できる極めて好適なものである（例えば特許文献１参照）。
【特許文献１】特開平５−３３８８９９号公報
【発明の開示】
【発明が解決しようとする課題】
【０００３】
しかしながら、上述した排紙装置は、製造コストはもとより、可動部分があるために定期的なメンテナンスが必要な複雑な構成になりがちであり、極めて簡素な構成で上述した問題を解決できた方が好ましい。
そこで本発明は、このような状況に鑑みてなされたものであり、上記問題点を解決できる排紙トレイ及び画像形成装置を提供することを目的とする。
【課題を解決するための手段】
【０００４】
上記技術課題を達成するために、本発明にかかる排紙トレイ及び画像形成装置は、下記の技術的手段を講じた。
すなわち、請求項１にかかる排紙トレイは、排紙された用紙を載置させる載置面に前記用紙と係合される凸部が形成され、該凸部は、一端部が折り返されてなる折り返し部が形成された用紙を、その折り返し部を先頭に且つ上向きにさせて漸次排紙させた際に、前記折り返し部が前記凸部を乗り越えて前記載置面に先に載置された前記用紙の折り端の位置より、後から排紙された前記用紙の先端が排紙方向下流側に位置されるまで、後から排紙された前記用紙の先端を浮上可能に形設されてなることを特徴とする。
請求項２にかかる排紙トレイは、請求項１において、前記凸部は、前記載置面に着脱可能に構成されていることを特徴とする。
請求項３にかかる排紙トレイは、請求項１または２において、前記凸部は、前記用紙の排紙方向前後に位置調整可能に構成されていることを特徴とする。
請求項４にかかる排紙トレイは、請求項１乃至３の何れか１項において、前記凸部より前記用紙の排紙方向下流側で前記用紙の先端と係合させて前記用紙の移動を抑制させるストッパ部が前記載置面に設けられていることを特徴とする。
請求項５にかかる排紙トレイは、請求項４において、前記ストッパ部は、前記載置面に着脱可能に構成されていることを特徴とする。
請求項６にかかる排紙トレイは、請求項４または５において、前記ストッパ部は、前記用紙の排紙方向前後に位置調整可能に構成されていることを特徴とする。
請求項７にかかる画像形成装置は、所望の画像が前記用紙に印刷可能に構成されると共に、前記排紙トレイの排紙方向下流側が上位となるように、請求項１乃至６の何れか１項に記載の前記排紙トレイを斜設したことを特徴とする。
【発明の効果】
【０００５】
本発明によれば、一端部が折り返してなる折り返し部を形成した用紙を漸次排紙した際に、先に排紙して載置面に載置した用紙の折り端の位置より、後から排紙した用紙の先端が排紙方向下流側に位置するまで後の用紙の先端を浮上可能にする凸部を載置面に設けて、先に排紙した用紙の折り返し部に、後に排紙した用紙の折り返し部が挿し込まれるのを防止したから、極めて簡素な構成で、後の用紙が先の用紙を徐々に押し動かして用紙同士の整合を悪化させることなく、複数の用紙を載置面に整合した状態で載置することができる。
【発明を実施するための最良の形態】
【０００６】
次に、本発明にかかる排紙トレイを備えた画像形成装置の実施の形態を、添付図面を参照しながら説明する。図１は、本実施の形態にかかる画像形成装置を、図２〜図７は実施の形態１を、図８及び図９は実施の形態２を、図１０〜図１２は実施の形態３を、図１３は角底紙袋の斜視図を、図１４は角底紙袋の側面図を、図１５は従来の排紙トレイ廻りを夫々示す。図中、符号１は載置部を、符号１ａは載置面を、符号３は凸部を、符号７はストッパ部を夫々示す。
まず、本実施の形態にかかる画像形成装置の概略を説明する。
本実施の形態にかかる画像形成装置は、薬袋やファーストフードのテイクアウト用紙袋、小物の包装用紙袋のような角底紙袋Ｐ（一端部が折り返してなる折り返し部を形成した用紙）や普通記録紙に印刷可能に構成され、印刷された普通記録紙を整然と排紙トレイに載置できると共に、印刷された角底紙袋Ｐを折り返し部ｐ３を上向きした状態で整然と排紙トレイに載置できる極めて好適なものが例示されている。
【０００７】
本実施の形態にかかる画像形成装置は、図１に示すように、画像形成装置の外観形状を形成させ各機能部を内装させる筐体ｍ１と、その筐体ｍ１下部に設けられ普通記録紙をストックさせて一枚ずつ給紙させる給紙トレイ部ｍ２と、筐体ｍ１側部に設けられ角底紙袋Ｐや普通記録紙等を受け付け給紙させる手挿しトレイ部ｍ３と、角底紙袋Ｐや普通記録紙等が搬送される搬送路ｍ４の中途部と係合可能に横架され反時計方向回りに回転可能に設けられた中間転写ベルトｍ５と、その中間転写ベルトｍ５に沿うように所定間隔をおいて４つ並設された感光体ｍ６と、感光体ｍ６の周囲に設けられ感光体ｍ６に潜像を形成させると共にその潜像をトナー像に現像させる作像部ｍ７と、作像部ｍ７で現像された感光体ｍ６上のトナー像を中間転写ベルトｍ５上に転写させる一次転写部ｍ８と、中間転写ベルトｍ５上のトナー像を角底紙袋Ｐや普通記録紙等に転写させる二次転写部ｍ９と、角底紙袋Ｐや普通記録紙等を所定のタイミングで二次転写部ｍ９へ送り出すレジストローラｍ１０と、二次転写部ｍ９より搬送路ｍ４下流に設けられ未定着のトナー像を担持させた角底紙袋Ｐや普通記録紙等を加圧及び加熱させてトナー像を角底紙袋Ｐや普通記録紙等に定着させる定着部ｍ１１と、その定着部ｍ１１でトナー像を定着させた角底紙袋Ｐや普通記録紙等を筐体ｍ１の側壁の一部に設けられた排紙口ｍ１２からやや下向きまたは水平に送り出させる一対の送り出しローラｍ１３と、筐体ｍ１上面に設けられ排紙口ｍ１２から排紙された角底紙袋Ｐや普通記録紙等を載置させる排紙トレイＡとを備えてなる。
【０００８】
このように構成された画像形成装置は、画像データに基づいて、夫々の作像部ｍ７が夫々の感光体ｍ６にイエロー、シアン、マゼンタ、ブラックの各色のトナー像を形成する。そして、感光体ｍ６と一次転写部ｍ８とで形成した転写電界により移動中の中間転写ベルトｍ５上に各色のトナー像が漸次重なるように一次転写していく。このようにして、中間転写ベルトｍ５上にフルカラーのトナー像を形成し二次転写部ｍ９へ搬送していく。
これと前後して、レジストローラｍ１０が所定のタイミングで角底紙袋Ｐや普通記録紙等を二次転写部ｍ９に向かって送り出し、角底紙袋Ｐや普通記録紙等上にフルカラーのトナー像を二次転写し、定着部ｍ１１で未定着のトナー像を角底紙袋Ｐや普通記録紙等に定着し、定着したその角底紙袋Ｐや普通記録紙等を排紙トレイＡに排紙して、一連の画像形成が終了する。なお、本実施の形態では、電子写真方式の画像形成装置を例示したが、インクジェット式の画像形成装置でも良い。
【０００９】
以下、本発明の要部である排紙トレイＡの各実施の形態を詳述する。
（実施の形態１）
実施の形態１にかかる排紙トレイＡは、図２に示すように、排紙口ｍ２から排紙された角底紙袋Ｐや普通記録紙が載置される載置面１ａが形成された板状の載置部１と、その載置部１の一端側に立設されたリブ２と、載置部１の幅より僅かに幅狭で且つ載置面１ａ内に一体成形され、角底紙袋Ｐの用紙先端ｐ２に当接させてその用紙先端ｐ２側を上方へ浮上させる凸部３とを備えて構成され、リブ２で排紙口ｍ２の下縁を形成させるように、且つ、そのリブ２と反対側となる載置部１の他端側（排紙方向下流側）が上位となるように、画像形成装置の筐体ｍ１に斜設されている。
上述した凸部３は、ｎ＋１枚目（例えば２枚目）の角底紙袋Ｐを漸次排紙した際に、先に排紙して載置面に載置したｎ枚目（例えば１枚目）の角底紙袋Ｐの折り端の位置より、ｎ＋１枚目（例えば２枚目）の角底紙袋Ｐの先端が排紙方向下流側に位置するまで、そのｎ＋１枚目（例えば２枚目）の角底紙袋Ｐの先端を浮上可能な山状に形成されている。
この凸部３は、用紙の大きさや紙質（コシの強さ）、排紙速度などの諸条件に応じて形状や配設位置が異なるものであるが、例えば図３や図７のようになっている。
【００１０】
図３に示すように、一対の送り出しローラｍ３、ｍ４の共通接線Ｌ１（ニップＮによる角底紙袋Ｐの排紙方向）が接する載置面１ａ上の位置またはその近傍位置を起点とし、袋口ｐ４から袋口ｐ４寄りの折り返し部ｐ３近傍までの距離に相当するリブ２の内側壁面下縁から載置面１ａ中途部までの距離Ｘにおける法線Ｌ２とニップＮの中心部を通過する水平線より時計方向に僅かに上向き傾斜した傾斜線Ｌ３とが交差した点を頂点ＣＰとした、昇り斜面３ａが形成されると共に、その頂点ＣＰから載置面１ａに向かって急な降り斜面３ｂが形成されてなる。さらに、この凸部３の頂点ＣＰ付近は、凸湾曲状に形成されている。また、共通接線Ｌ１と傾斜線Ｌ３とで挟む角度αは鋭角になっている。
また、より具体的な例を図７に示す。
図７に示すように、一対の送り出しローラｍ３、ｍ４の直径が２０ｍｍ、ニップからそのニップ下方のトレイ端までの距離が３５ｍｍ、トレイの傾斜角が１４°、ニップから凸部３中心までの距離が１９０ｍｍ、凸部３中心高さが２０ｍｍ、凸部３の幅が５５ｍｍとなっている。上述した構成の場合における角底紙袋Ｐは、プリンタ用薬袋（株式会社シンリョウ製）であり、図１３に示すように、横１８０ｍｍ、縦３２０ｍｍ、角底長さ８０ｍｍ、秤量６４ｇ／平方ｍｍ、厚さ０．０８ｍｍ、上質紙であり、一対の送り出しローラｍ３、ｍ４による角底紙袋Ｐの排出速度が１５４ｍｍ／ｓになっている。
【００１１】
このように構成された実施の形態１にかかる排紙トレイＡを備えた画像形成装置による角底紙袋Ｐの排紙時の作用を、図４〜図６を参照しながら説明する。
画像形成装置の内部でｎ枚目の角底紙袋Ｐに所望の画像の印刷が終了すると、その角底紙袋Ｐは搬送路ｍ５を通り、折り返し部ｐ３を先頭に且つ上向きした状態で、排紙口ｍ２からやや下向きまたは水平に排紙してくる。
排紙してきたｎ枚目の角底紙袋Ｐは、まず、用紙先端ｐ２が載置面１ａ（または載置面１ａ上の角底紙袋Ｐ）に当接し、用紙中途部が凹湾曲しながら凸部３の昇り斜面３ａに沿うように折り返し部ｐ３が移動していく。そして、用紙先端ｐ２が凸部３の頂点ＣＰ部分を過ぎ、用紙先端ｐ２側が凸部３を支点に浮上した後、用紙中途部が降り斜面３ｂに略沿うように凸湾曲する。そして袋口ｐ４がニップＮから離脱してリブ２の内側壁面より僅か前方へ落下していき、ｎ枚目の角底紙袋Ｐが載置面１ａに載置して排紙が完了する（図４参照）。
続いて排紙してきたｎ＋１枚目の角底紙袋Ｐは、上述したｎ枚目の角底紙袋Ｐと同じく、用紙先端ｐ２が載置面１ａ上のｎ枚目の角底紙袋Ｐに当接し、用紙中途部が凹湾曲しながら凸部３の昇り斜面３ａに沿うように折り返し部ｐ３が移動していく（図５参照）。そして、用紙先端ｐ２が凸部３の頂点ＣＰ部分を過ぎ、用紙先端ｐ２側が凸部３を支点に浮上した後、用紙中途部が降り斜面３ｂに略沿うように凸湾曲する。このとき、先に排紙して載置面に載置したｎ枚目の角底紙袋Ｐの折り端の位置より、ｎ＋１枚目の角底紙袋Ｐの先端が排紙方向下流側に位置するまで、そのｎ＋１枚目の角底紙袋Ｐの先端側が浮上しており（図６参照）、ｎ枚目の角底紙袋Ｐの折り返し部ｐ３にｎ＋１枚目の角底紙袋Ｐの折り返し部ｐ３が挿し込まれるのを防止する。
【００１２】
そして、ｎ枚目の角底紙袋Ｐと同じく、袋口ｐ４がニップＮから離脱してリブ２の内側壁面より僅か前方へ落下し、ｎ＋１枚目の角底紙袋Ｐがｎ枚目の角底紙袋Ｐに積重して排紙が完了する。このようにして複数枚の角底紙袋Ｐが、載置面１ａに整合した状態で載置する。なお、上述した一連の排紙プロセスは、図７に示した排紙トレイの場合でも実質的に同じである。
このように実施の形態１にかかる画像形成装置は、ｎ＋１枚目の角底紙袋Ｐの用紙先端ｐ２が、ｎ枚目の角底紙袋Ｐの折り端ｐ１より排紙方向下流側に位置した関係を保ったまま、用紙中途部から凸湾曲して、ｎ枚目の角底紙袋Ｐの折り返し部ｐ３に、ｎ＋１枚目の角底紙袋Ｐの用紙先端ｐ２が入り込むのを凸部３が防止し、且つ、排紙トレイを画像形成装置の筐体ｍ１に斜設したから、極めて簡素な構成で、後の角底紙袋Ｐが先の角底紙袋Ｐを徐々に押し動かして角底紙袋Ｐ同士の整合を悪化させることなく、複数の角底紙袋Ｐを整合した状態で載置面１ａに載置することができる。
【００１３】
（実施の形態２）
次に実施の形態２を説明する。実施の形態２にかかる排紙トレイは、実施の形態１で例示した凸部３を載置部１と別部材構成にし、凸部３を載置面１ａに着脱可能に構成した例である。
すなわち、実施の形態２にかかる凸部３は、図８に示すように、その幅方向の両端部下縁に耳片４が延設され、その耳片４を載置面１ａに当接させ、皿小ネジ５を介して載置面１ａに着脱可能に取り付けられている。
このように載置面１ａに凸部３を着脱可能に取り付けることで、折り返し部ｐ３のない通常の用紙向きの載置面１ａと、角底紙袋Ｐのような折り返し部ｐ３のある用紙向きの載置面１ａとにすることが可能となり、紙種に応じて使い分けができる。
また、図９に示すように、排紙方向に所要の間隔をおいて凸部３を螺着させる複数のネジ孔６を載置面１ａに設け、凸部３を排紙方向前後に位置調整可能且つ着脱可能に構成しても良い。
このように構成することで、用紙の大きさや紙質（コシの強さ）など様々な種類の折り返し部ｐ３のある用紙に対応することができる。また、排紙トレイを排紙方向に二分にし伸縮可能に構成した場合、排紙方向下流側の可動トレイに凸部３を設けて位置調整可能にしても良い。
この実施の形態２では、凸部３を載置面１ａに螺着した構成のものを例示しているが、他の例としては、耳片４に係止突起を設け載置面１ａにその係止突起を着脱可能に嵌着させる嵌合孔を設けた所謂スナップフィットによる構成や、耳片４と載置面１ａとを両面接着テープで貼着させる構成等が挙げられる。
【００１４】
（実施の形態３）
次に実施の形態３を説明する。実施の形態３は、図１０に示すように、実施の形態２で例示した凸部３より排紙方向下流側に半球状のストッパ７１を縦横格子状に複数個突設させてなるストッパ部７を備えた例である。
このように構成された実施の形態３にかかる排紙トレイは、図１１に示すように、角底紙袋Ｐの排紙時、用紙先端ｐ２が何れかのストッパ７１に係合して角底紙袋Ｐの排紙方向への移動を抑制するから、複数の角底紙袋Ｐを確実に整合した状態で載置面１ａに載置することができる。
このストッパ部７は、実施の形態１で例示した凸部３より排紙方向下流側に設けても良いし、図１２に示すように実施の形態２で例示した凸部３と一体成形しても良いものである。
また、ストッパ７１の他の態様としては、幅方向に延出するリブや溝でも良い。
このように、本実施の形態は、凸部が、先に排紙した用紙の折り返し部に、後に排紙した用紙の折り返し部が挿し込まれるのを防止することで、後の用紙が先の用紙を徐々に押し動かし載置状態の悪化や用紙の落下を防いでいる。しかしながら、この種の折り返しのある用紙は、当然のことながら、折り返し部側がその反対側より嵩張る上に、凸部による用紙の隆起で、ある程度の載置枚数に達したときに、従来のように、先に排紙した用紙の折り返し部に、後に排紙した用紙の折り返し部が挿し込まれてしまう恐れが考えられる。そこで、所定枚数を排紙したら（作像したら）画像形成装置の作像を停止するように構成しても良い。
以上、本実施の形態にかかる画像形成装置及び排紙トレイを説明したが、上述した実施の形態は、本発明の好適な実施の形態の一例を示すものであり、本発明はそれに限定されるものではなく、その要旨を逸脱しない範囲内において、種々変形実施が可能である。
【図面の簡単な説明】
【００１５】
【図１】本実施の形態にかかる画像形成装置の概略を示す模式的な縦断面図である。
【図２】実施の形態１にかかる画像形成装置の排紙トレイ廻りの模式的な縦断面図１である。
【図３】凸部の形状、凸部と送り出しローラとの配設関係を示した説明図である。
【図４】角底紙袋の排紙時における凸部の一連の作用を示した説明図である。
【図５】図３に続く説明図である。
【図６】図４に続く説明図である。
【図７】排紙トレイ廻りの縦断面図２である。
【図８】実施の形態２にかかる排紙トレイの斜視図である。
【図９】他の態様の排紙トレイの斜視図である。
【図１０】実施の形態３にかかる排紙トレイの斜視図である。
【図１１】角底紙袋の排紙時におけるストッパ部の作用を示した説明図である。
【図１２】凸部とストッパ部とを一体成形した状態の斜視図である。
【図１３】角底紙袋の斜視図である。
【図１４】角底紙袋の側面図である。
【図１５】従来の排紙トレイによる角底紙袋の排紙時における問題点を示した説明図である。
【符号の説明】
【００１６】
１  載置部、１ａ  載置面、２  リブ、３  凸部、３ａ  昇り斜面、３ｂ  降り斜面、４  耳片、５  皿小ネジ、６  ネジ孔、７  ストッパ部、７１  ストッパ、ｍ１  筐体、ｍ２  排紙口、ｍ３、ｍ４  送り出しローラ、ｍ５  搬送路、Ｎ  ニップ、Ｌ１  共通接線、Ｌ２  法線、Ｌ３  傾斜線、ＣＰ  頂点、Ｐ  角底紙袋、ｐ１  折り端、ｐ２  用紙先端、ｐ３  折り返し部、ｐ４  袋口
【図１】
2010018428.tif 000003
【図２】
2010018428.tif 000004
【図３】
2010018428.tif 000005
【図４】
2010018428.tif 000006
【図５】
2010018428.tif 000007
【図６】
2010018428.tif 000008
【図７】
2010018428.tif 000009
【図８】
2010018428.tif 000010
【図９】
2010018428.tif 000011
【図１０】
2010018428.tif 000012
【図１１】
2010018428.tif 000013
【図１２】
2010018428.tif 000014
【図１３】
2010018428.tif 000015
【図１４】
2010018428.tif 000016
【図１５】
2010018428.tif 000017